(57)【要約】【課題】送風効率が向上するブロアの風管を提供すること。【解決手段】  可搬式ブロアにおいて蛇管２２は、通常の状態にあるときや、伸ばした状態にあるとき、すなわち大きく湾曲した状態にあるとき以外では、内周面２２１Ａが凹凸のない円筒面状となる。これにより、チューブ２２１を通る空気に乱流が発生せず、圧力損失を抑えることができ、圧力損失により風管に導通される空気の流速が低下せず、送風効率の低下を抑えることができる。また、チューブ２２１を湾曲させた状態でも、湾曲部分の外方側は伸ばされて内周面が平滑面状となるから、その分、空気の圧力損失を小さくできる。【選択図】  図２
2007071029.tif 000002
【特許請求の範囲】
【請求項１】
ブロアの風管であって、
少なくとも縮んでいない状態で内周面が平滑面とされた可撓性を有するチューブと、前記チューブの周方向に沿って略環状に形成されるとともに、軸心方向に所定の間隔を空けて設けられる複数の突出部とで構成された蛇管を備えている
ことを特徴とするブロアの風管。
【発明の詳細な説明】
【技術分野】
【０００１】
本発明は、ブロアの風管、特にブロアから放出される空気の方向を変更可能にする蛇管を備えた風管に関する。
【背景技術】
【０００２】
従来、吸引した空気により塵埃や落ち葉などを吹き飛ばして掃除する可搬式ブロアが知られている（例えば、特許文献１）。
【０００３】
この特許文献１に記載のブロアは、ブロア本体と、ブロア本体の先端部に取り付けられる風管とを備えている。風管は、ブロアに接続される蛇管、蛇管に接続される回転部、回転部に接続されるマフラ、およびマフラに接続される吹出部を備えている。蛇管は、内径寸法が小さくなる小径部と大きくなる大径部とが連続する蛇腹形成され、可撓性を有している。このような可搬式ブロアにおいて、ブロア本体から送られる空気は、エルボ、蛇管を通って吹出部から吹出される。
【０００４】
【特許文献１】特開２００３−９７４９３号公報(図１ないし図３参照)
【発明の開示】
【発明が解決しようとする課題】
【０００５】
ところで、特許文献１のような従来のブロアでは、蛇管において小径部および大径部の間に複数の凹凸が形成される。このため、この蛇管の凹凸によりブロアから送り出された空気の流れに乱流が発生し、空気の圧力損失が生じてしまう。したがって、この空気の乱流による圧力損失の分だけ風圧が低下してしまい、ブロアの送風効率が低下してしまうという問題がある。
【０００６】
本発明は、送風効率が向上するブロアの風管を提供することを目的とする。
【課題を解決するための手段】
【０００７】
本発明のブロアの風管は、少なくとも縮んでいない状態で内周面が平滑面とされた可撓性を有するチューブと、前記チューブの周方向に沿って略環状に形成されるとともに、軸心方向に所定の間隔を空けて設けられる複数の突出部とで構成された蛇管を備えていることを特徴とする。
【０００８】
この発明によれば、可撓性を有するチューブは、大きく縮んでいない状態、すなわち外力が作用しない通常の状態、もしくは外力が作用しても、その外力によって伸びている状態では、その内周面が平滑面とされているため、チューブを通る空気に乱流が発生せず圧力損失が防止される。また、チューブが湾曲している状態では、湾曲したチューブの内方側では縮みが生じ、縮んだ部分の内周面が凹凸状となるが、外方側は伸びた状態となり、伸びた部分の内周面が確実に平滑面となるので、圧力損失を少なくできる。
【発明を実施するための最良の形態】
【０００９】
以下、本発明における一実施形態を図面に基づいて説明する。図１は、本実施形態に係るブロアの全体を示す平面図である。図２は、本実施形態の風管の一部を軸方向に沿って断面した断面図である。
【００１０】
〔可搬式ブロアの構成〕
図１において、１００は可搬式ブロアであり、この可搬式ブロア１００は、作業者が背負いや手持ちなどにより搬送可能なサイズおよび重量に設けられている。この可搬式ブロア１００は、ブロア本体１０と、ブロア本体１０に接続される風管２０とを備えており、ブロア本体１０にて吸い込んだ空気を風管２０に送り出し、風管２０から吹き出された空気で塵埃や落ち葉などを吹き飛ばすことが可能である。
【００１１】
ブロア本体１０は、風管２０が接続される送風口１１と、送風口１１に空気を送り出すボリュート１２と、ボリュート１２にて送り出される空気の風量を調整するスロットル１３とを備えている。ボリュート１２は、図示しない回転ファンを有している。この回転ファンは、ブロア本体１０の内部に設けられる図示しないエンジンから駆動力が伝達され、スロットル１３の操作量に応じた回転速度にて回転する。そして、回転ファンの回転により吸引口１２Ａから外部の空気が吸引されて送風口１１に送り出される。なお、ブロア本体１０内部に設けられるエンジンに代えて、電気による電動モータを設けてもよい。
【００１２】
風管２０は、ブロア本体１０の送風口１１に接続されるエルボ２１と、エルボ２１に接続される蛇管２２と、蛇管２２に連結される操作管２３と、操作管２３に接続される吹出し口２４とを備えている。
【００１３】
エルボ２１は、円弧状に湾曲して形成されている。また、ブロア取付部２１の内径寸法は、送風口１１の内径寸法と略同じに形成されている。これにより送風口１１から導入された空気は、圧力損失なしにこのエルボ２１を通り、蛇管２２に送られる。
【００１４】
蛇管２２は、図２に示すように、略円筒状のチューブ２２１と、チューブ２２１の周方向に沿って設けられる突出部２２２と、エルボ２１に接続されるブロア接続部２２３と、操作管２３に接続される操作接続部２２４とを備え、例えばＰＰ(Polypropylene：ポリプロピレン)などの可撓性部材により形成されている。
【００１５】
このチューブ２２１の内周面２２１Ａは、チューブ２２１が大きく縮んでいない通常の状態、もしくは通常の状態でなくとも、外力が作用して伸びた状態においては、凹凸のない平滑な円筒状の面となっている。また、チューブ２２１の外周面に設けられる突出部２２２は、チューブ２２１と一体に形成されている。この突出部２２２は、チューブ２２１の周方向に沿って連続したリング状に突出し、チューブ２２１の軸心方向に沿って所定の間隔を空けて複数設けられている。突出部２２２の間は、チューブ２２１が縮んだ際に軸心側に向かって凹む凹溝部２２５となっている。
【００１６】
このようなチューブ２２１では、突出部２２２間の凹溝部２２５がチューブ２２１の軸心側に撓んで凹むことにより、チューブ２２１全体が縮んだり、湾曲したりすることが可能となり、内周面２２１ａには凹凸が生じる。ただし、チューブ２２１が通常の状態か、または伸びた状態においては、内周面２２１Ａが凹凸のない円筒面となるため、乱流が起こらず空気の圧力損失が生じない。また、チューブ２２１が湾曲している状態であっても、湾曲部分の内方側（圧縮側）ではチューブ２２１の凹溝部２２５が軸心方向に凹んで凹凸が生じるが、外方側（伸長側）では凹溝部２２５が凹まないために、内周面２２１Ａが凹凸のない平滑面となり、空気の圧力損失を小さく抑えることが可能となる。
【００１７】
操作管２３は、蛇管２２および吹出し口２４に接続されており、蛇管２２からの空気を吹出し口２４から吹出させる。また操作管２３には、操作グリップ２３１が設けられている。この操作グリップ２３１は、作業者が可搬式ブロア１００を操作する際に握る部分であり、作業者はこの操作グリップ２３１を握って所望の方向に風管２０を向けて空気を吹出させる。なお、この操作グリップ２３１には、ブロアの稼動および停止を制御する運転制御レバーなどが設けられる構成としてもよい。
【００１８】
〔実施形態の作用効果〕
上述したように、本実施形態の可搬式ブロア１００では、蛇管２２のチューブ２２１が通常の状態、および伸びた状態において、内周面２２１Ａが凹凸のない円筒面状となるため、大きく湾曲した時以外はチューブ２２１を通る空気に乱流が発生せず、圧力損失を抑えることができる。従って、圧力損失により風管２０に導通される空気の流速が低下せず、送風効率の低下を抑えることができる。
【００１９】
また、蛇管２２を湾曲させた際でも、チューブ２２１の湾曲部分の内方側では、内周面２２１Ａが縮んで凹凸が生じるが、反対に外方側では、内周面２２１Ａが伸ばされて確実に平滑な曲面になる。したがって、チューブ２２１が湾曲した場合でも、平滑面が存在する分だけ、従来の蛇管に比べて空気の圧力損失を低減することができ、送風効率を向上させることができる。
【００２０】
〔実施形態の変形〕
なお、本発明は、上述した一実施の形態に限定されるものではなく、本発明の目的を達成できる範囲で以下に示される変形をも含むものである。
【００２１】
例えば、突出部２２２はチューブ２２１の外周面に沿った環状に設けられており、複数の突出部２２２が所定の間隔をあけて複数配置されている例を示したが、これに限定されない。例えば、突出部は、チューブ２２１の外周面に沿って、螺旋状に形成されているものであってもよい。
【００２２】
さらに、上記において、内周面が平滑に形成される蛇管２２は、エルボ２１および操作管２３を挟む間にのみ設けられているが、これに限られない。例えば、蛇管２２が直接送風口１１に取り付けられている構成としてもよく、また蛇管２２に直接吹出し口２４が取り付けられる構成や、蛇管２２と吹出し口２４とが一体形成されている構成としてもよい。
【００２３】
その他、本発明の実施の際の具体的な構造および手順は、本発明の目的を達成できる範囲で他の構造などに適宜変更できる。
【産業上の利用可能性】
【００２４】
本発明は、落ち葉や剪定作業等で落下した枝葉を吹き払うブロアに好適に利用できる。
【図面の簡単な説明】
【００２５】
【図１】本発明の一実施形態に係る可搬式ブロアを模式的に示す全体図。
【図２】本実施形態の蛇管の軸心に沿った断面図。
【符号の説明】
【００２６】
１０…ブロア、１１…送風口、２０…風管、２２１…チューブ、２２２…突出部、２２５…内周面。
【図１】
2007071029.tif 000003
【図２】
2007071029.tif 000004